(57)【特許請求の範囲】
【請求項１】
底面部及び周壁部を有し、上面が開口した容器本体と、
底面部及び周壁部を有し、前記容器本体の内周側面に嵌合し、前記容器本体の底面と離間して支持される皿部と、
を備え、
前記皿部は、
当該皿部の１周に亘って当該皿部の半径方向外方へ水平に拡がり、上面に平地を有する円環状のリブと、
前記リブの外周縁から１周に亘って無端状に延在し、多角形形状の外周縁を有する多角形状嵌合部と、を有し、
前記容器本体は、前記多角形状嵌合部と対面する内周面領域を有し、
前記多角形状嵌合部は、前記多角形形状の外周縁まで、前記皿部の半径方向外方斜め下方に向けて延び、前記内周面領域に食い込むこと、
を特徴とする食品包装用容器。
【請求項２】
前記容器本体の内周側面に嵌合しつつ、前記容器本体の内部空間を閉じる蓋を備え、
前記蓋は、当該蓋の１周に亘って当該蓋の半径方向外方へ水平に拡がり、下面に平地を有して、前記リブに対して上方から接触又は近接する蓋側水平部を有し、
前記多角形状嵌合部は、前記リブの外周縁から１周に亘って延出すること、
を特徴とする請求項１記載の食品包装用容器。
【請求項３】
前記容器本体は、当該容器本体の内周側面の１周に亘って当該容器本体の半径方向外方へ水平に拡がる容器側水平部を有し、
前記皿部は、当該皿部の底面部と前記リブとの間の高さに形成され、前記皿部の１周に亘って半径方向外方へ水平に拡がり、前記容器側水平部に載る皿側水平部を有すること、
を特徴とする請求項２記載の食品包装用容器。
【請求項４】
前記皿側水平部は、当該皿側水平部の平地全領域が前記容器側水平部の平地に載り、前記容器側水平部からはみ出さないこと、
を特徴とする請求項３記載の食品包装用容器。
【請求項５】
前記皿側水平部は、前記皿部の半径方向に３ｍｍ超の幅を一部又は全周に亘って有すること、
を特徴とする請求項３又は４記載の食品包装用容器。
【請求項６】
前記皿側水平部は、前記皿部の半径方向に４ｍｍ超の幅を一部又は全周に亘って有すること、
を特徴とする請求項３又は４記載の食品包装用容器。
【請求項７】
前記皿部は、前記皿側水平部の外周縁から垂直又は略垂直に折れ曲がって成るエッジ部を有し、
前記エッジ部は、当該エッジ部が存在する高さにおいて前記皿部の最外周に位置して側面に露出していること、
を特徴とする請求項３乃至６の何れかに記載の食品包装用容器。
【請求項８】
前記内周面領域は、前記容器本体の内周側面に周方向に１周に亘って無端状に延在する凹部を有し、
前記多角形状嵌合部の辺部は、前記凹部に嵌まり込むこと、
を特徴とする請求項１乃至７の何れかに記載の食品包装用容器。
【請求項９】
前記凹部は、上側に向けて漸次縮径するテーパ形状を有すること、
を特徴とする請求項８記載の食品包装用容器。
【請求項１０】
前記皿部は、当該皿部の外周側面に周方向に１周に亘って断続的又は無端状に延在し、断面視半円状又は台形状に膨出し、前記容器本体の内周側面に密着する環状嵌合部を更に有すること、
を特徴とする請求項１乃至９の何れかに記載の食品包装用容器。
【発明の詳細な説明】
【技術分野】
【０００１】
本発明は、装着した皿部によって食品を上下に分離して収容できる食品包装用容器に関する。
【背景技術】
【０００２】
容器本体、皿部及び蓋を備える食品包装用容器がある。この種の食品包装用容器では、容器本体の内部空間に皿部が押し入れられ、皿部を容器本体に内嵌合させている。容器本体の底面及び側面部とで画成される内部空間が皿部によって上下に分離されるため、この食品包装用容器は、食品を皿部と容器本体の底とに分けて収容できる。皿部に置かれた食品と容器本体の底に置かれた食品とを調理直前まで混合させたくない場合に有用である。
【０００３】
容器本体から皿部が外れて内部の食品が漏れ出したりしないように、容器本体、皿部及び蓋には様々な工夫が施されている（例えば特許文献１参照）。例えば、皿部の外周側面に、皿部の上面開口から底面に向けて直線的に拡径する逆テーパ状の係合部を周方向に１周に亘って無端状に膨出させている。また、容器本体の内周側面に、内周側面を凹ませた逆テーパ状の係合部、即ち容器本体の上面開口から底面に向けて直線的に拡径する凹みを一周に亘って無端状に形成している。これら逆テーパ同士が嵌合することにより、皿部と容器本体との間の嵌合強度を高めている。
【先行技術文献】
【特許文献】
【０００４】
【特許文献１】特願２０１６−１０２１７７号
【発明の開示】
【発明が解決しようとする課題】
【０００５】
食品包装用容器は、喫食の際に電子レンジを用いて加熱調理されることがある。食品包装用容器の容器本体、皿部及び蓋は、発泡ポリスチレンシートやソリッドなポリプロピレンシート等により形成されており、加熱により軟化して変形することがある。容器本体、皿部及び蓋部といった容器部品が加熱により変形すると、部品同士の係合関係が維持できずに、部品同士の係合が緩み、また部品が外れる虞がある。
【０００６】
コンビニエンスストア等の喫食場所と離れた場所で、食品を電子レンジにより加熱調理し、喫食場所へ食品を持ち帰る場合がある。電子レンジによる加熱により、食品包装用容器の部品同士の係合が緩み、または部品が外れている場合には、輸送時の振動で食品が食品包装用容器から漏れてしまう虞がある。例えば、皿部と容器本体との係合関係が緩むと、容器本体の底に貯留されていたスープ等の液体が皿部によって堰き止められることなく、食品包装用容器から漏れだす。
【０００７】
本発明は、上記のような従来技術の問題点を解決するために提案されたものであり、その目的は、加熱によっても皿部が容器本体から外れ難い食品包装用容器を提供することを目的とする。
【課題を解決するための手段】
【０００８】
上記の目的を達成するため、本発明の実施形態に係る食品包装用容器は、底面部及び周壁部を有し、上面が開口した容器本体と、底面部及び周壁部を有し、前記容器本体の内周側面に嵌合し、前記容器本体の底面と離間して支持される皿部と、を備え、前記皿部は、当該皿部の外周側面に周方向に１周に亘って無端状に延在し、多角形形状の外周縁を有する多角形状嵌合部を有し、前記容器本体は、前記多角形状嵌合部と対面する内周面領域を有し、前記多角形状嵌合部は、前記内周面領域に食い込むこと、を特徴とする。
【０００９】
前記容器本体の内周側面に嵌合しつつ、前記容器本体の内部空間を閉じる蓋を備え、前記蓋は、当該蓋の１周に亘って当該蓋の半径方向外方へ水平に拡がり、下面に平地を有する蓋側水平部を有し、前記皿部は、当該皿部の１周に亘って当該皿部の半径方向外方へ水平に拡がり、上面に平地を有して、前記蓋側水平部によって下方へ押圧される円環状のリブを有し、前記多角形状嵌合部は、前記リブの外周縁から１周に亘って延出するようにしてもよい。
【００１０】
前記多角形状嵌合部は、前記多角形形状の外周縁まで、前記皿部の半径方向外方斜め下方に向けて延びるようにしてもよい。
【００１１】
前記容器本体は、当該容器本体の内周側面の１周に亘って当該容器本体の半径方向外方へ水平に拡がる容器側水平部を有し、前記皿部は、当該皿部の底面部と前記リブとの間の高さに形成され、前記皿部の１周に亘って半径方向外方へ水平に拡がり、前記容器側水平部に載る皿側水平部を有するようにしてもよい。
【００１２】
前記皿側水平部は、当該皿側水平部の平地全領域が前記容器側水平部の平地に載り、前記容器側水平部からはみ出さないようにしてもよい。
【００１３】
前記皿側水平部は、前記皿部の半径方向に３ｍｍ超の幅を一部又は全周に亘って有するようにしてもよい。また、前記皿側水平部は、前記皿部の半径方向に４ｍｍ超の幅を一部又は全周に亘って有するようにしてもよい。
【００１４】
前記皿部は、前記皿側水平部の外周縁から垂直又は略垂直に折れ曲がって成るエッジ部を有し、前記エッジ部は、当該エッジ部が存在する高さにおいて前記皿部の最外周に位置して側面に露出しているようにしてもよい。
【００１５】
前記内周面領域は、前記容器本体の内周側面に周方向に１周に亘って無端状に延在する凹部を有し、前記多角形状嵌合部の辺部は、前記凹部に嵌まり込むようにしてもよい。
【００１６】
前記凹部は、上側に向けて漸次縮径するテーパ形状を有するようにしてもよい。
【００１７】
前記皿部は、当該皿部の外周側面に周方向に１周に亘って断続的又は無端状に延在し、断面視半円状又は台形状に膨出し、前記容器本体の内周側面に密着する環状嵌合部を更に有するようにしてもよい。
【発明の効果】
【００１８】
本発明によれば、容器本体が反り上がるように変形しても、多角形状嵌合部がアンカーのように食い込んで皿部の浮き上がりを阻止し、皿部が容器本体から外れることを抑制できる。
【図面の簡単な説明】
【００１９】
【図１】分離状態を示す食品包装用容器の全体断面図である。
【図２】合体状態を示す食品包装用容器の全体断面図である。
【図３】容器本体の詳細形状を示す周壁部の断面図である。
【図４】皿部の詳細形状を示す周壁部の側面図である。
【図５】皿部の詳細形状を示す周壁部の断面図である。
【図６】皿部の平面図である。
【図７】蓋の詳細形状を示す周壁部の断面図である。
【図８】容器本体と皿部と蓋の係合状態を示す部分断面図である。
【図９】容器本体の変形を示す断面図である。
【発明を実施するための形態】
【００２０】
本発明の実施形態に係る食品包装用容器について図面を参照しつつ詳細に説明する。尚、各図面においては、理解容易のため、厚み、寸法、位置関係、比率等を強調して示している。また、食品包装用容器の底側を下方又は下側といい、蓋の天面側を上方又は上側という。
【００２１】
（食品包装用容器）
図１は、食品包装用容器１００の分離状態を示す図であり、図２は食品包装用容器１００の合体状態を示す図である。図１及び２に示すように、食品包装用容器１００は、容器本体１、皿部２及び蓋３を備えている。容器本体１、皿部２及び蓋３は分離した別体であり、嵌合により着脱自在に１つに合体し、食品包装用容器１００となる。
【００２２】
容器本体１は上面開口のボウル型である。この容器本体１は、底面部１１と、当該底面部１１の縁に沿って無端状に連続する周壁部１２とを備えている。底面部１１は平面視円形である。容器本体１の口縁１３は、底面部１１よりも大径の円環状である。即ち、周壁部１２は、底面部１１から上面開口に向けて全体としては漸次拡径しながら立ち上がっている。皿部２は、容器本体１の口縁１３よりも小径であり、容器本体１の底面部１１より大径であり、底が浅い円盤皿型である。この皿部２は、底面部２１及び周壁部２２を備えている。底面部２１は、全体として平面視円形である。周壁部２２は、底面部２１の縁に沿って無端状に連続して立ち上がっている。蓋３は天面が平坦に潰れたドーム部３１を有する。
【００２３】
皿部２は、容器本体１の上部開口から内部空間へ押し込まれる。押し込まれた皿部２は、皿部２の径と容器本体１の径とが一致する高さで、容器本体１の内周側面に内嵌合する。皿部２の径と容器本体１の径とが一致する高さは、皿部２の全高よりも高い。そのため、皿部２は、容器本体１の底面部１１よりも上方位置に離間し、容器本体１の内空間に中空支持される。蓋３は、皿部２を内嵌合させた後、容器本体１の上部開口から内部空間へ押し込まれる。押し込まれた蓋３は、皿部２に覆い被さりつつ、蓋３の径と容器本体１の径とが一致する高さで、容器本体１と内嵌合し、容器本体１を閉蓋する。
【００２４】
容器本体１、皿部２及び蓋３が合体した状態において、皿部２は、容器本体１の底面部１１と離間して支持される。容器本体１の内部空間は、皿部２によって上側内部空間１０１と下側内部空間１０２の上下二つの領域に区分される。この食品包装用容器１００は、上側内部空間１０１と下側内部空間１０２に食品を分けて収容できる。皿部２上と容器本体１の底面部１１上に食品を分けつつ、閉蓋のまま電子レンジで加熱調理したい場合に、食品包装用容器１００は適するものである。例えば、下側内部空間１０２には液体状又はゼラチン等で固められたスープ等が収容され、上側内部空間１０１には麺や具材が収容される。
【００２５】
（容器本体）
容器本体１について更に詳細に説明する。図３は、容器本体１の詳細形状を示す断面図である。容器本体１の内周側面には、容器側下部嵌合部１４と容器側水平部１６と容器側上部嵌合部１５が形成されている。容器側下部嵌合部１４は、容器側上部嵌合部１５よりも相対的に底面部１１側、即ち低い位置に形成され、皿部２に用意されている嵌合部分と係合する内周面領域である。容器側上部嵌合部１５は、容器側下部嵌合部１４よりも相対的に口縁１３側、即ち高い位置に形成され、皿部２に用意されている他の嵌合部分と係合する内周面領域である。容器側水平部１６は、容器側上部嵌合部１５と容器側下部嵌合部１４との間に形成され、皿部２に用意される平地部分が載る。
【００２６】
この容器側下部嵌合部１４は、凹部１４１と下部段差部１４２とを有する。凹部１４１に直結して下側に下部段差部１４２が形成されている。凹部１４１は、容器本体１の内周側面に形成される凹みである。凹部１４１は、容器本体１の内周側面を１周に亘って同一高さを維持して無端状に延在する。この凹部１４１は、容器本体１の底面部１１から上面開口に向けて直線的に縮径するテーパ形状を有している。下部段差部１４２は、同一高さで容器本体１の内周側面を１周に亘って延在する無端状を成し、凹部１４１の下端よりも容器本体１の内部空間側へ膨出している。
【００２７】
容器側水平部１６は、容器側下部嵌合部１４と容器側上部嵌合部１５とを繋ぎ、容器本体１の内周側面を１周に亘って同一高さを維持して無端状に延在する。この容器側水平部１６は、凹部１４１の上端を基点に容器本体１の半径方向に沿って外側に水平に延び、高さ一定で拡がるため、上面に平地を有する。
【００２８】
容器側上部嵌合部１５は、凹部１５１と上部段差部１５２とを有する。凹部１５１は、容器本体１の内周側面に形成される凹みである。凹部１５１は、容器本体１の内周側面を１周に亘って同一高さを維持して無端状に延在する。また、凹部１５１は、上方に向けて漸次縮径するテーパ形状を有している。上部段差部１５２は、容器側水平部１６の外周を基端として一段盛り上がった領域であり、凹部１５１の直下に形成されている。この上部段差部１５２は、同一高さで容器本体１の内周側面を１周に亘って延在する無端状を成し、凹部１５１の下端よりも容器本体１の内部空間側へ膨出している。
【００２９】
換言すれば、周壁部１２は、底面部１１から拡径しながら立ち上がった後、滑らかに拡径度合いを大きくされることで下部段差部１４２を備え、下部段差部１４２の上端を基点に上方へ向けて縮径されることで凹部１４１を備える。次に、周壁部１２は、凹部１４１の上端を基点に水平に延ばされることで容器側水平部１６を備える。更に、周壁部１２は、容器側水平部１６の外縁を１段高く盛り上げることで上部段差部１５２を備え、上部段差部１５２の外縁を基点に上方へ向けて縮径されることで凹部１５１を備える。そして、周壁部１２は、凹部１５１の上端から更に立ち上げられ、立ち上げ先に口縁１３を備える。
【００３０】
口縁１３は、周壁部１２の上端を容器本体１の外側に湾曲させた上側凸の玉ぶち形状を有する。この口縁１３の外縁は、容器本体１の半径方向外側に向けて延長された縁取り部１３１を備えている。この縁取り部１３１は、口縁１３の強度を補強している。
【００３１】
このような容器本体１は、発泡ポリスチレンシートを金型で挟み込むシート成形により作製される。発泡ポリスチレンシートは成型時に加熱により軟化し、金型で挟み込む際に再び発泡させながら、容器本体１に形作られる。容器本体１の素材は発泡体であれば、発泡ポリスチレンに限られない。
【００３２】
（皿部）
次に、皿部２について更に詳細に説明する。図４は、皿部の詳細形状を示す周壁部の側面図であり、図５は皿の詳細形状を示す周壁部の断面図である。皿部２は、例えばソリッドなポリプロピレンシートを金型で挟み込むシート成形により作製される。シート成形により、皿部２の周壁部２２は、平面視円形の底面部２１の周縁に沿って無端状に立ち上がる。底面部２１と周壁部２２の境界には、丸みを帯びた面取り部２４が形成される。皿部２が容器本体１と内嵌合したとき、面取り部２４を容器本体１の内周側面に接触させる。
【００３３】
この周壁部２２は、底面部２１側の基部から端部に向けて順番に、段部２３、皿側環状嵌合部２５、皿側水平部２６、エッジ部２８、円環状リブ２７及び皿側多角形状嵌合部２９を有する。段部２３の外周縁から皿側環状嵌合部２５が始まり、皿側環状嵌合部２５の上端から皿側水平部２６が始まり、皿側水平部２６の外周縁から円環状リブ２７が始まり、皿側水平部２６と円環状リブ２７の境界にエッジ部２８が位置し、円環状リブ２７の外周縁から皿側多角形状嵌合部２９が始まる。
【００３４】
段部２３は、面取り部２４を基端として底面部２１から急峻に立ち上がり、途中で半径方向外方へ水平に延びる。段部２３の水平面は、容器本体１の容器側下部嵌合部１４が備える下部段差部１４２に載る半径及び半径方向の幅を有する。この段部２３は、皿部２の皿内側から見ると、底面部２１の外周面を１周に亘って同一高さで無端状に延在し、皿部２の内周側に膨出する円環形状の膨らみである。この段部２３は、上下方向に所定の厚みを有し、水平方向に所定の幅を有し、皿部２の内周側に膨出する。
【００３５】
皿側環状嵌合部２５は、容器本体１の容器側下部嵌合部１４に密着する。この皿側環状嵌合部２５は、段部２３の水平面から垂直方向へ急激に傾斜角を変更して垂直に立ち上がり、この垂直面に半径方向外方への膨らみを有する。皿側環状嵌合部２５の膨らみは、皿部２の外周側面を１周に亘って同一高さを維持しつつ延在して、円環形状を有する。皿側環状嵌合部２５の膨らみは、上下方向に沿った断面視で半円状又は台形状を有する。例えば、膨らみは上下２本が配設されている。皿側環状嵌合部２５は、皿部２が容器本体１と内嵌合したとき、容器側下部嵌合部１４の凹部１４１に対向する位置に形成され、膨らみが凹部１４１に密着するように、膨らみが凹部１４１よりも若干大径である。
【００３６】
皿側水平部２６は、皿側環状嵌合部２５の上端で屈曲して半径方向外方へ水平に延び、高さ一定で拡がるため、下面に円環状の平地を有する。皿側水平部２６は、容器側水平部１６に載る位置に形成される。この皿側水平部２６は、皿側水平部２６の全領域が容器側水平部１６に載るように形成されている。即ち、皿部２が容器本体１と内嵌合したとき、皿側水平部２６の下面と容器側水平部１６の上面とが一致する高さに形成される。
【００３７】
この皿側水平部２６は、容器側水平部１６に着座することで、下方成分の力に対する垂直抗力を容器側水平部１６から与えられ、下方成分の力による変形が抑制される。また、この皿側水平部２６は、容器側水平部１６に着座することで、半径方向中心へ向く成分の力に対する摩擦力を容器側水平部１６から与えられ、容器側水平部１６から皿部２の中心側へ引きずられるのを抑制する。
【００３８】
皿側水平部２６が容器側水平部１６の角を支点として皿部２の中心側へ向けて転倒するのを抑制するため、皿側水平部２６の円環内周径と容器側水平部１６の円環内周径とは概略一致することが望ましい。更に、下方成分の力を分散させるため、皿側水平部２６の幅、即ち皿部２の半径方向の長さは、３ｍｍ超であることが好ましい。容器側水平部１６の縁部分には成型の特性上、湾曲が生じており、この縁部分の半径は平均３ｍｍ程度になっている。従って、皿側水平部２６の幅が３ｍｍ以下であると、皿側水平部２６が容器側水平部１６の平らな部分に載らず、皿側水平部２６が容器側水平部１６の湾曲した縁部分に載って転倒してしまう。
【００３９】
更に好ましくは、皿側水平部２６の幅、即ち皿部２の半径方向の長さは、４ｍｍ超である。ここで、容器本体１が加熱により反り上がるように変形することがある。例えば、容器本体１の反り上がりにより、容器側水平部１６は、水平から半径方向外方斜め上方に向きを変化させるように伸び上がることがある。そうすると、容器側水平部１６の縁部分から半径方向外方に平均して４ｍｍ程度の範囲に湾曲が生じる。従って、容器本体１が加熱により反り上がるような個体に対しては、皿側水平部２６の幅が４ｍｍ以下であると、皿側水平部２６が湾曲した部分にしか載らずに転倒してしまう。１ｍｍのバッファを採り、皿側水平部２６の幅を５ｍｍ以上とすると、ほぼ全ての個体に対して転倒抑制の確実性が高まる。
【００４０】
円環状リブ２７は、皿側水平部２６の外周縁から垂直方向へ急激に傾斜角を変更して立ち上がり、途中で皿部２の半径方向に沿って外側に水平に延び、高さ一定で拡がる。即ち、円環状リブ２７の円環状の平地を上面に有する。円環状リブ２７は、後述の蓋３の蓋側水平部３２に押さえ付けられる。即ち、円環状リブ２７は、蓋側水平部３２と高さ方向で一部又は全部が重なる径及び半径方向の幅で形成されている。
【００４１】
エッジ部２８は、皿側水平部２６と円環状リブ２７の円環状の境界であり、直角又は直角に近い。このエッジ部２８は、当該エッジ部２８の高さにおいて、皿部２の最外周であり、側面視で視認できるように皿部２の側面に露出している。
【００４２】
皿側多角形状嵌合部２９は、容器本体１の容器側上部嵌合部１５が有する凹部１５１に嵌まり込む。この皿側多角形状嵌合部２９は、円環状リブ２７の外周縁に沿って１周に亘って無端状に延在し、皿側多角形状嵌合部２９の端まで、半径方向外方斜め下へ向けて延びる。エッジ部２８を露出させるため、皿側多角形状嵌合部２９の端の高さは、エッジ部２８の高さに未達であり、エッジ部２８は皿側多角形状嵌合部２９で覆われずに露出する。
【００４３】
図６は、皿部２の平面図である。図６に示すように、皿側多角形状嵌合部２９の外周縁は、角部２９１と辺部２９２により成る多角形形状であり、複数の角部２９１が円周等配位置で配置されている。
【００４４】
皿部２の中心から角部２９１までの距離は、凹部１５１の内周径よりも長く、皿側多角形状嵌合部２９は、角部２９１で凹部１５１に食い込むように嵌まり込む。皿部２の中心から辺部２９２までの距離は、角部２９１までよりは短いが、凹部１５１の内周径よりも若干長く、皿側多角形状嵌合部２９は、辺部２９２で凹部１５１に密着するように嵌まり込む。
【００４５】
尚、皿側多角形状嵌合部２９からは舌片部２９３が延出している。舌片部２９３は、細長い板片であり、皿部２を容器本体１から外す際に把持される。皿側水平部２６は、好ましくは３ｍｍ超であり、更に好ましくは４ｍｍ超でもよいとしたが、一部の周部分が３ｍｍ以下若しくは４ｍｍ以下であっても皿側水平部２６の機能は失われない。一部の周部分は４５°範囲以下が好ましく、舌片部２９３の周辺最大４５°の範囲で、皿側水平部２６が３ｍｍ以下若しくは４ｍｍ以下であってもよい。
【００４６】
（蓋）
図７は蓋３の断面図である。ドーム部３１は、天面中心が平坦であり、平坦領域の外側で下方へ拡径しながら垂れ下がっている。蓋３のドーム部３１の垂れ下がり下端には、半径方向外方に水平に延びる蓋側水平部３２が延設される。水平部３２の外縁には凸部３３が立ち上がっている。そして、凸部３３の上端には、半径方向外方に水平に延びるフランジ部３４が更に延設されている。
【００４７】
蓋側水平部３２の内周から外周までの径範囲と円環状リブ２７の内周から外周までの径範囲は、一部又は全部が重なる。皿部２及び蓋３を容器本体１に装着したとき、蓋側水平部３２と円環状リブ２７は、蓋側水平部３２の下面が円環状リブ２７の上面に接触し、又は蓋側水平部３２と円環状リブ２７とが若干の隙間を空けて近接する。
【００４８】
凸部３３は、容器側上部嵌合部１５の凹部１５１の上側に嵌まり込む。凸部３３は、蓋側水平部３２の外縁から上方へ向けて直線的に拡径した後、延び方向を変えて上方へ向けて直線的に縮径する。
【００４９】
（嵌合）
図８は、容器本体１、皿部２及び蓋３の結合状態を示す部分断面図である。皿部２は、容器本体１の底面部１１の上面に食品が載置された後、底面部２１側から容器本体１の内部空間に押し入れられる。皿部２を押し入れる押圧力は、強度が高い円環状リブ２７の上面にかけられる。従って、全周に均等に押圧力がかからないことによって、押圧力の分布に偏りがあっても、円環状リブ２７は平坦を維持する。そのため、容器本体１へ皿部２を押し入れるとき、皿部２の一部が反るように歪むことが抑制される。その結果、円環状リブ２７によって、皿部２は容器本体１の内部空間に容易に押し込まれる。
【００５０】
容器本体１側の容器側下部嵌合部１４の凹部１４１に対し、皿部２の皿側環状嵌合部２５は対面位置に形成されている。容器本体１側の容器側下部嵌合部１４の下部段差部１４２の上面に対し、皿部２の段部２３の水平面は同じ高さに形成されている。容器本体１側の容器側水平部１６の上面に対し、皿部２の皿側水平部２６は同じ高さに形成されている。容器本体１側の容器側上部嵌合部１５の凹部１５１に対し、皿部２の皿側多角形状嵌合部２９は対面位置に形成されている。
【００５１】
そのため、皿部２が容器本体１の内部空間に押し込まれる過程で、皿側環状嵌合部２５は、容器側下部嵌合部１４の凹部１４１内に嵌まり込む。このとき、皿部２の面取り部２４の外径と、面取り部２４と対面する箇所における容器本体１の内周径は概略同一であり、面取り部２４は容器本体１の内周面に密着する。容器側下部嵌合部１４の凹部１４１に皿側環状嵌合部２５が嵌まり込んだとき、皿部２の段部２３は下部段差部１４２に着座し、皿部２の過剰な押し込みを阻止する。
【００５２】
また、皿部２が容器本体１の内部空間に押し込まれる過程では、皿部２の皿側水平部２６が容器本体１の容器側水平部１６に全面的に接触しつつ乗っかり、皿部２の過剰な押し込みを阻止する。皿側多角形状嵌合部２９の角部２９１は、容器側上部嵌合部１５の凹部１５１に食い込み、皿側多角形状嵌合部２９の辺部も凹部１５１に嵌まり込んでいく。皿側多角形状嵌合部２９の外周縁は、上部段差部１５２に着座して、皿部２の過剰な押し込みを阻止する。
【００５３】
容器本体１に対する皿部２の内嵌合が完了すると、皿部２の底面部２１に食品が載せられ、その後、蓋３が容器本体１の内部空間に押し入れられる。蓋３が押し入れる過程で、凸部３３は、容器本体１の容器側上部嵌合部１５に設けられた凹部１５１内に嵌まり込む。凸部３３は、皿部２の皿側多角形状嵌合部２９よりも少し高い位置で嵌まり込む。蓋３の蓋側水平部３２は、皿部２の円環状リブ２７の上面と接触又は近接し、円環状リブ２７を基点に皿部２を下方に押し付け、又は皿部２の近接距離以上の浮き上がりを阻止する。蓋３のフランジ部３４は、容器本体１の口縁１３に乗り上げる。
【００５４】
（加熱調理による皿部変形）
ユーザは食品が入った食品包装用容器１００を電子レンジに入れて加熱する。容器本体１にはスープ等の食品が収容されていることが多い。皿部２には麺や具材等の食品が収容されていることが多い。食品包装用容器１００の各容器部品のうち、皿部２は加熱により軟化することがある。軟化した皿部２は、皿部２の底面部２１に載る食品の重量によって変形しようとする。即ち、皿部２には、底面部２１に載る食品重量を力の発生源として、各部に下方へ引きずり込む変形力が伝播していく。
【００５５】
まず、食品が載る底面部２１は、この下方へ向く変形力によって、下方に膨らむ釜状に変形する。この変形力は、底面部２１の変形達成により上方に伝播していく。但し、底面部２１の上方には皿側水平部２６が形成されている。皿部２の皿側水平部２６は、容器本体１の容器側水平部１６に対して全面的に接触しており、その接触面は水平である。
【００５６】
皿側水平部２６は、容器側水平部１６から垂直抗力Ｎが与えられることにより、底面部２１側から伝播してくる変形力に対抗する。また、皿側水平部２６の内周径と容器側水平部１６の内周径が概略一致し、また、皿側水平部２６の幅は３ｍｍ超であるため、皿側水平部２６が容器側水平部１６よりも突き出てはおらず、また容器側水平部１６の湾曲した縁に載ってしまうこともない。そのため、皿側水平部２６を下方へ歪ませたり転倒させたりしようとする力も、容器側水平部１６によって相殺される。また、皿側水平部２６の幅は３ｍｍ超であるため、真実接触面積も大きくなり、皿側水平部２６は、容器側水平部１６の縁へ引きずり出されることが抑制される。
【００５７】
これにより、皿側水平部２６は食品重量を発生源とする変形力に抗し切り、皿側水平部２６の変形は阻止される。そのため、変形力の伝播は皿側水平部２６で阻止され、皿側水平部２６よりも上側には及ばないか、変形力が弱体化する。即ち、円環状リブ２７は、皿側水平部２６よりも上方に位置しており、円環状リブ２７には変形力が掛かり難い。
【００５８】
もしも、円環状リブ２７に食品重量を発生源とする変形力が及ぶと、円環状リブ２７は、半径方向中心へ向けて上側から折り込まれるように転倒しようとする。そうすると、円環状リブ２７の位置は内周側へ移動し、蓋３の蓋側水平部３２と位置が合わなくなる。円環状リブ２７と蓋側水平部３２の位置が不一致であると、蓋側水平部３２で円環状リブ２７を押さえ込めず、皿部２が容器本体１から外れ易くなる。しかし、皿側水平部２６によって変形の伝播は遮られており、円環状リブ２７は内周側へ移動し難くなる。従って、電子レンジによる加熱調理を受けても、蓋側水平部３２と円環状リブ２７との位置は一致し続け、蓋３で皿部２の外れを阻止できる。
【００５９】
更に、円環状リブ２７よりも外周側には皿側多角形状嵌合部２９が形成されており、皿側多角形状嵌合部２９の辺部２９２は容器側上部嵌合部１５に嵌っている。このように、皿側多角形状嵌合部２９が容器側上部嵌合部１５に密着することによって、円環状リブ２７の位置が固定化される。
【００６０】
しかも、容器側上部嵌合部１５の凹部１５１は上方へ向けて漸次縮径するテーパ形状を有している。そのため、皿側多角形状嵌合部２９は上側で凹部１５１に引っ掛かってしまい、容器側上部嵌合部１５から外れ難い。皿側多角形状嵌合部２９は多角形の周形状を有し、円周等配位置で角部２９１を有する。角部２９１は、容器側上部嵌合部１５に食い込んでいる。そのため、角部２９１が滑り止めになって、皿側多角形状嵌合部２９が凹部１５１内を滑ってしまい、容器側上部嵌合部１５を抜けることを阻止する。
【００６１】
従って、円環状リブ２７の位置は、よりいっそう固定化され、内周側への移動がより困難となる。即ち、円環状リブ２７が内周側へ移動するとき、円環状リブ２７の内周側が率先して下方へ引きずり込まれた分、円環状リブ２７の外周側が持ち上がる必要があるが、円環状リブ２７の外周側を持ち上げることができず、結果的に円環状リブ２７が内周側へ移動できない。
【００６２】
また、この皿側多角形状嵌合部２９は、多角形形状の外周縁まで、皿部２の半径方向外方斜め下方に向けて延びており、上方へ反り返り難い。そのため、円環状リブ２７は、皿側多角形状嵌合部２９を上方へ反り返らせながら、内周側を下方へ沈み込ませることもできず、円環状リブ２７の内周面側へ移動することが更に阻止される。
【００６３】
（加熱調理による容器本体変形）
図９は、容器本体１の変形を示す模式図である。食品包装用容器１００の各容器部品のうち、容器本体１が加熱により反り上がるように変形することがある。例えば、容器本体１の反り上がりにより、容器側下部嵌合部１４は、半径方向外方斜め上方に向けて伸び上がって、上方域ほど拡径する。容器側水平部１６は、水平から半径方向外方斜め上方に向きを変化させるように伸び上がる。
【００６４】
容器側水平部１６に載っていた皿側水平部２６は、容器側水平部１６が伸び上がるように傾斜することにより、浮き上がろうとする。皿側水平部２６が浮き上がってしまうと、皿側環状嵌合部２５も浮き上がって、皿側環状嵌合部２５と容器側下部嵌合部１４との嵌合が外れてしまう。
【００６５】
しかし、容器側上部嵌合部１５の凹部１５１は、上方に向けて直線的に縮径するテーパ形状を有している。そのため、皿側多角形状嵌合部２９が上方に浮き上がろうとしても、凹部１５１に引っ掛かってしまい、皿側多角形状嵌合部２９は浮き上がることができない。しかも、皿側多角形状嵌合部２９の外周縁には多角形状を有し、角部２９１が配置されている。角部２９１は、容器側上部嵌合部１５に食い込んでアンカーとなり、皿側多角形状嵌合部２９の浮き上がりを更に阻止する。
【００６６】
そのため、容器側水平部１６の伸び上がりに連れて皿側水平部２６が浮き上がることは抑制され、皿側環状嵌合部２５と容器側下部嵌合部１４との嵌合は維持される。従って、容器本体１が変形しても、皿部２が容器本体１から外れ難くなっている。
【００６７】
また、皿側水平部２６の幅が４ｍｍ超であると、加熱による容器本体１の反り上がりにより生じた、容器側水平部１６の湾曲部分の拡大範囲に載ってしまうこともない。そのため、皿側水平部２６を下方へ歪ませたり転倒させたりしようとする力も、容器側水平部１６によって相殺される。また、皿側水平部２６の幅は４ｍｍ超であるため、容器本体１が反り上がっていない場合には真実接触面積も大きくなり、皿側水平部２６は、容器側水平部１６の縁へ引きずり出されることが抑制される。
【００６８】
しかも、皿側水平部２６と円環状リブ２７の境界にあるエッジ部２８が皿部２の外周に露出しており、容器側水平部１６が伸び上がるように傾斜しても、このエッジ部２８が容器側水平部１６と接触し続ける。そのため、万一、食品包装用容器１００が持ち帰り中に傾倒し、容器本体１内のスープが開口に向けて移動しても、エッジ部２８がスープの進路を塞ぎ、スープが漏れ出すことを抑制する。
【００６９】
尚、容器本体１の変形が免れている場合は、皿側水平部２６と容器側水平部１６とが密着しているので、スープの漏れ出しは抑制される。
【００７０】
（喫食時）
蓋３を外した後は、舌片部２９３を把持し、舌片部２９３を基点に皿部２を持ち上げる。皿部２の最外周は、円環状リブ２７の外周縁から斜め下方に延びた皿側多角形状嵌合部２９になっており、上方へ捲るように変形し難い。しかし、皿側多角形状嵌合部２９から舌片部２９３を延出させており、舌片部２９３を把持して持ち上げることで、皿側多角形状嵌合部２９を捲り上げて、皿部２を取り外すことができる。
【００７１】
（効果）
以上のように、この食品包装用容器１００は、底面部１１及び周壁部１２を有し、上面が開口した容器本体１と、底面部２１及び周壁部２２を有し、容器本体１の内周側面に嵌合し、容器本体１の底面と離間して支持される皿部２とを備えるようにした。皿部２は、当該皿部２の外周側面に周方向に１周に亘って無端状に延在し、多角形形状の外周縁を有する多角形状嵌合部２９を有する。容器本体１は、多角形状嵌合部２９と対面する内周面領域を有し、多角形状嵌合部２９は、この内周面領域に食い込むようにした。
【００７２】
これにより、容器本体１が反り上がるように変形しても、多角形状嵌合部２９が容器本体１に食い込んでアンカーとして働き、皿部２が容器本体１から浮き上がるようにして外れることを抑制することができる。
【００７３】
尚、容器本体１の内周面領域を容器側上部嵌合部１５として細工し、容器本体１の内周側面に周方向に１周に亘って無端状に延在する凹部１５１を形成するようにすれば、容器側上部嵌合部１５と多角形状嵌合部２９がより強固に嵌合し、皿部２が容器本体１から浮き上がることを強く阻止する。更に、凹部１５１は、上側に向けて漸次縮径するテーパ形状を有するようにすれば、容器側上部嵌合部１５と多角形状嵌合部２９が更に強固に嵌合し、皿部２が容器本体１から浮き上がることをより強く阻止する。
【００７４】
また、容器本体１の内周側面に嵌合しつつ、容器本体１の内部空間を閉じる蓋３を備えるようにした。蓋３は、当該蓋３の１周に亘って当該蓋３の半径方向外方へ水平に拡がり、下面に平地を有する蓋側水平部３２を有する。皿部２は、当該皿部２の１周に亘って当該皿部２の半径方向外方へ水平に拡がり、上面に平地を有して、蓋側水平部３２によって下方へ押圧される円環状リブ２７を有する。そして、多角形状嵌合部２９は、円環状リブ２７の外周縁から１周に亘って延出するようにした。
【００７５】
これにより、容器本体１が反り上がるように変形しても、蓋側水平部３２が円環状リブ２７を上から押さえ付け、皿部２が容器本体１から浮き上がるようにして外れることを抑制することができる。またこれにより、皿部２が軟化して食品重量により下方に引きずり込まれるように変形しようとしても、多角形状嵌合部２９が容器本体１に食い込んでアンカーとして働き、円環状リブ２７の外周側が上がり難くなる。そのため、円環状リブ２７が皿部２の中心に向けて折り込まれるように変形し難くなり、円環状リブ２７が蓋側水平部３２よりも内側に相対的に移動することが阻止される。従って、皿部２が食品重量により変形しようとしても、蓋３による皿部２の押さえ付けは維持され、皿部２が容器本体１から外れることが阻止される。
【００７６】
また、多角形状嵌合部２９は、多角形形状の外周縁まで、前記皿部２の半径方向外方斜め下方に向けて延びるようにした。これにより、多角形状嵌合部２９を上方へ反り返らせながら、内周側を下方へ沈み込ませることもできず、円環状リブ２７の内周面側へ移動することが更に阻止される。従って、皿部２が軟化して食品重量が下方に引きずり込まれるように変形しようとしても、蓋３による皿部２の押さえ付けは維持され、皿部２が容器本体１から外れることが阻止される。
【００７７】
尚、容器本体１の内周面領域を容器側上部嵌合部１５として細工し、容器本体１の内周側面に周方向に１周に亘って無端状に延在する凹部１５１を形成するようにすれば、容器側上部嵌合部１５と多角形状嵌合部２９がより強固に嵌合し、円環状リブ２７の外周側が更に上がり難くなる。また、凹部１５１は、上側に向けて漸次縮径するテーパ形状を有するようにすれば、容器側上部嵌合部１５と多角形状嵌合部２９が更に強固に嵌合し、円環状リブ２７の外周側がいっそう上がり難くなる。
【００７８】
また、容器本体１は、当該容器本体１の内周側面の１周に亘って当該容器本体１の半径方向外方へ水平に拡がる容器側水平部１６を有する。皿部２は、当該皿部２の底面部２１と円環状リブ２７との間の高さに形成され、皿部２の１周に亘って半径方向外方へ水平に拡がり、容器側水平部１６に載る皿側水平部２６を有するようにした。
【００７９】
これにより、皿部２が軟化して食品重量が下方に引きずり込まれるように変形しようとしても、その変形力は皿側水平部２６で伝播が止まり、皿側水平部２６よりも上には及ばない。そのため、皿側水平部２６よりも上方の円環状リブ２７の変形は阻止又は抑制されるため、蓋３による皿部２の押さえ付けは維持され、皿部２が容器本体１から外れることが阻止される。
【００８０】
また、皿側水平部２６は、当該皿側水平部２６の平地全領域が容器側水平部１６の平地に載り、容器側水平部１６からはみ出さないようにした。これにより、皿側水平部２６が転倒することが阻止され、皿部２が軟化して食品重量が下方に引きずり込まれるように変形する変形力が、皿側水平部２６よりも上には更に及び難くなる。
【００８１】
また、皿側水平部２６は、皿部２の半径方向に３ｍｍ超の幅を一部又は全周に亘って有するようにした。これにより、容器側水平部１６の縁部分の湾曲に載る可能性が低くなる。また真実接触面積も大きくなり、皿側水平部２６は、容器側水平部１６の湾曲した縁へ引きずり出されることが抑制される。そのため、皿側水平部２６が転倒することが阻止され、皿部２が軟化して食品重量が下方に引きずり込まれるように変形する変形力が、皿側水平部２６よりも上には更に及び難くなる。
【００８２】
また、皿側水平部２６は、皿部２の半径方向に３ｍｍ超の幅を一部又は全周に亘って有するようにした。これにより、容器本体１が加熱により反り上がっても、容器側水平部１６の縁部分から拡大する湾曲範囲に載る可能性が低くなる。また真実接触面積も大きくなり、皿側水平部２６は、容器側水平部１６の湾曲した縁へ引きずり出されることが抑制される。そのため、皿側水平部２６が転倒することが更に阻止され、皿部２が軟化して食品重量が下方に引きずり込まれるように変形する変形力が、皿側水平部２６よりも上には更に及び難くなる。
【００８３】
また、皿部２は、皿側水平部２６の外周縁から垂直又は略垂直に折れ曲がって成るエッジ部２８を有し、エッジ部２８は、当該エッジ部２８が存在する高さにおいて皿部２の最外周に位置して側面に露出しているようにした。これにより、容器本体１の容器側水平部１６が傾斜するように反り上がってしまい、皿部２に浮き上がりが発生してしまったとしても、エッジ部２８は、容器側水平部１６と接触し続けることができる。そのため、容器本体１の底面部１１に貯留されたスープ等の液体が漏れ出そうとしても、エッジ部２８が進路を塞ぎ、食品包装用容器１００からの漏れ出しを抑制する。
【００８４】
また、皿部２は、当該皿部２の外周側面に周方向に１周に亘って断面視半円状又は台形状に膨出し、容器本体１の内周側面に密着する皿側環状嵌合部２５を更に有するようにした。この食品包装用容器１００では、加熱調理によって容器本体１の周壁部１２が反り上がる変形があっても、皿部２が浮き上がらず、皿側環状嵌合部２５による容器本体１との嵌合が維持される。
【００８５】
尚、この皿側環状嵌合部２５は、１周に亘って無端状に繋がる他、断続的に形成されるものであってもよい。例えば、皿側環状嵌合部２５は、皿部２の周に沿って一定間隔で並んだドーム状の膨出部の群であってもよい、また、皿側環状嵌合部２５は、１本又は１列の膨出体に限らず、上下に複数本又は複数列が並び、複数本又は複数列は、無端状及び断続的な並びが混在していても、一方種のみであってもよい。
【００８６】
（他の実施形態）
以上のように本発明の実施形態を説明したが、発明の要旨を逸脱しない範囲で、種々の省略、置き換え、変更を行うことができる。そして、この実施形態やその変形は、発明の範囲や要旨に含まれるとともに、特許請求の範囲に記載された発明とその均等の範囲に含まれる。
【００８７】
１  容器本体
１１  底面部
１２  周壁部
１３  口縁
１３１  縁取り部
１４  容器側下部嵌合部
１４１  凹部
１４２  下部段差部
１５  容器側上部嵌合部
１５１  凹部
１５２  上部段差部
１６  容器側水平部
２  皿部
２１  底面部
２２  周壁部
２３  段部
２４  面取り部
２５  皿側環状嵌合部
２６  皿側水平部
２７  円環状リブ
２８  エッジ部
２９  皿側多角形状嵌合部
２９１  角部
２９２  辺部
２９３  舌片部
３  蓋
３１  ドーム部
３２  蓋側水平部
３３  凸部
３３１  テーパ部
３３２  逆テーパ部
３４  フランジ部
１００  食品包装用容器
１０１  上側内部空間
１０２  下側内部空間
【要約】      （修正有）【課題】加熱によっても皿部が容器本体から外れ難い食品包装用容器を提供する。【解決手段】食品包装用容器は、容器本体と、容器本体の内周側面に嵌合し、容器本体の底面と離間して支持される皿部２とを備える。皿部２は、当該皿部２の外周側面に周方向に１周に亘って無端状に延在し、角部２９１と辺部２９２により成る多角形形状の外周縁を有する多角形状嵌合部２９を有する。容器本体は、多角形状嵌合部２９と対面する内周面領域を有し、多角形状嵌合部２９は、この内周面領域に食い込むようにした。【選択図】図６【図１】
0006863636.tif 000002
【図２】
0006863636.tif 000003
【図３】
0006863636.tif 000004
【図４】
0006863636.tif 000005
【図５】
0006863636.tif 000006
【図６】
0006863636.tif 000007
【図７】
0006863636.tif 000008
【図８】
0006863636.tif 000009
【図９】
0006863636.tif 000010